(57)【要約】【課題】従来のステイオンタブ式のプルトップを備えた飲料用缶は、一度開栓すると閉栓できず、飲み口部（１４）が開口されたままである。この開口された飲み口部（１４）からの異物混入を防ぐための飲料用缶の栓（１）を提供する。【解決手段】飲料用缶の栓（１）において、脱離したタブ（１２）を取付ける構造を備え、ステイオンタブ式のプルトップを備えた飲料用缶の開口した飲み口部（１４）に螺合することを特徴とする飲料用缶の栓（１）によって閉栓することにより、開口した飲み口部（１４）からの異物混入を防ぐことができる。また、広告又は景品として使用することが可能である。【選択図】図１
2017077900.tif 000002
【特許請求の範囲】
【請求項１】
飲料用缶の栓（１）において、ネジ構造を備えたネジ部（２）と、持ち手（３）と、スコア倒し（９）を有し、ステイオンタブ式のプルトップを備えた飲料用缶の開口した飲み口部（１４）に、前記ネジ部（２）を螺合させることを特徴とする飲料用缶の栓。
【請求項２】
請求項１に記載の飲料用缶の栓（１）において、前記ネジ部（２）が単段式であることを特徴とする飲料用缶の栓。
【請求項３】
請求項1に記載の飲料用缶の栓（１）において、前記ネジ部（２）が多段式であることを特徴とする飲料用缶の栓。
【請求項４】
請求項１及び３に記載の飲料用缶の栓（１）において、前記ネジ部（２）は、持ち手（３）部から先端部（１０）に向かって略円錐台形状をしており、あらゆる飲料用缶の飲み口部（１４）の大きさ又は形状に合うよう複数段に構成していることを特徴とする飲料用缶の栓。
【請求項５】
請求項１から４に記載の飲料用缶の栓（１）において、前記持ち手（３）には、飲料用缶から脱離したタブ（１２）を着脱自在に吊り下げすることが可能であるタブクリップ（４）を備えていることを特徴とする飲料用缶の栓。
【請求項６】
請求項１から４に記載の飲料用缶の栓（１）において、前記持ち手（３）には、飲料用缶から脱離したタブ（１２）を挿脱自在に挿入することが可能であるタブポケット（１３）を備えていることを特徴とする飲料用缶の栓。
【発明の詳細な説明】
【技術分野】
【０００１】
本発明は、開封後の飲料用缶に関する栓である。
【背景技術】
【０００２】
従来の飲料用缶は、ステイオンタブ式のプルトップを備えた缶が主流になっており、タブを引き起こすことにより飲み口が形成される。この飲み口は、一度開栓されると閉栓することはできない。しかし、缶コーヒーのような缶入り飲料は、すぐに飲み切ることはほとんどなく、開栓されてから飲み切るまでに数時間かかることがある。また、開栓されて数時間たち残ってしまった缶入り飲料を、飲まずに処分することもある。開栓された状態のままの缶飲料を、机上及び車内等に数時間置くことは、不衛生である。また、引き起こしたタブが脱離した場合に、処分もしくは保管する場所に困ることがある。
【０００３】
本発明は、開口したスコア部に螺合することで、飲料用缶が閉栓され、ゴミ等の異物混入を防ぐことが可能である。また、脱離したタブを一時的に保管しておくクリップ又はポケットを備えている。
【０００４】
缶入り飲料は、自動販売機やコンビニエンスストアやスーパーマーケットなどで広く販売されている。また、これらの缶入り飲料を販売促進するために、広告又は景品などを付けて販売している場合がある。本発明は、これらの広告又は景品などに使用することが可能である。
【先行技術文献】
【特許文献】
【０００５】
【特許文献１】特開平７−１７５４０号公報
【発明の概要】
【発明が解決しようとする課題】
【０００６】
前記特許文献１の発明であるステイオンタブ式蓋は、一般的な飲料用缶に用いられているステイオンタブ式の缶構造の蓋である。しかし、このステイオンタブ式蓋は、飲みやすさを重視した形状のスコアを備えているが、開栓後の飲み口部が、開口されたままの状態を保つので、ごみやほこりなどの異物が混入することがあるという課題がある。そこで、本発明は、開口されたままの飲み口部から異物が混入することを防止することを目的とする。
【課題を解決するための手段】
【０００７】
上記課題を解決するために本発明は、飲料用缶の栓において、ネジ構造を備えたネジ部と、持ち手と、スコア倒しを有し、ステイオンタブ式のプルトップを備えた飲料用缶の開口した飲み口部に、前記ネジ部を螺合させることを特徴とする飲料用缶の栓である。
【０００８】
また、本発明の飲料用缶の栓の前記ネジ部は、単段式であることを特徴とする飲料用缶の栓である。
【０００９】
また、本発明の飲料用缶の栓の前記ネジ部は、多段式であることを特徴とする飲料用缶の栓である。
【００１０】
また、本発明の飲料用缶の栓の前記ネジ部は、持ち手部から先端部に向かって略円錐台形状をしており、あらゆる飲料用缶の飲み口部の大きさ又は形状に合うよう複数段に構成していることを特徴とする飲料用缶の栓。
【００１１】
また、本発明の飲料用缶の栓の前記持ち手には、飲料用缶から脱離したタブを着脱自在に吊り下げすることが可能であるタブクリップを備えていることを特徴とする飲料用缶の栓である。
【００１２】
また、本発明の飲料用缶の栓の前記持ち手には、飲料用缶から脱離したタブを挿脱自在に挿入することが可能であるタブポケットを備えていることを特徴とする飲料用缶の栓である。
【発明の効果】
【００１３】
本発明の飲料用缶の栓において、ネジ部を飲料用缶の開口された飲み口部に差し込み、螺合させることにより、上ネジ山と下ネジ山により開口部が閉栓される。よって、飲み口部から異物が混入することを防ぐことが可能である。
【００１４】
また、本発明の飲料用缶の栓は、脱離したタブを、保管しておくクリップもしくはポケットを備えているため、脱離したタブを保管する場所がない場合でも、一時的に保管することが可能であり、脱離したタブが邪魔になることがない。
【００１５】
また、本発明の飲料用缶の栓は、広告又は景品として使用することが可能であり、缶入り飲料の販売促進にもつながる。
【図面の簡単な説明】
【００１６】
【図１】本発明の実施形態を示す図である。
【図２】本発明の実施形態を示す底面図である。
【図３】本発明の実施形態を示す平面図である。
【図４】本発明の栓を飲料用缶の飲み口部に差し込む図である。
【図５】本発明の栓のスコア倒しがスコアを倒している図である。
【図６】一般的な飲料用缶を示す図である。
【図７】図６のＸ−Ｙ矢視図である。
【図８】本発明の栓の持ち手をキャラクターにした実施例である。
【図９】本発明の持ち手に、タブポケットを設けた実施例を示す図である。
【図１０】本発明の持ち手に、タブポケットを設けた他の実施例を示す図である。
【図１１】図１のＺ部の詳細図である。
【発明を実施するための形態】
【００１７】
以下、図１〜図１１を参照して、この発明をステイオンタブ式のプルトップを備えた飲料用缶に適用した実施形態について説明する。この飲料用缶の栓1は、図１に示すように、持ち手３から先端部１０に向かって略円錐台形状をしているネジ部２及びネジ部２の上部にある持ち手３及び先端部１０から略L字形状であるスコア倒し９及び持ち手３側部に略L字形状に突出したタブクリップ４を備えている。段８は、同径の上ネジ山５及び下ネジ山６、溝７で構成されている。上ネジ山５及び下ネジ山６は、略円形状であり、溝７の厚みは、飲料用缶の飲用部の板を咬止することが可能な厚みである。段８を複数備えるものは、上ネジ山５及び下ネジ山６から構成される段８の径が、持ち手３部から先端部１０に向かって小さくなっており、全ての段８を併せてネジ部２とし、ネジ部２は、図１〜３に示すように、略円錐台形状である。持ち手３は、飲料用缶の栓１の上部にネジ部２と垂直方向に備えており、タブ１２の長手方向より長い。持ち手３には、図１〜３に示すように、タブクリップ４、又は、図９、１０に示すようにタブポケット１３を備えており、このタブクリップ４又はタブポケット１３に脱離したタブ１２を保管することが可能である。タブクリップ４は、持ち手３の上部に備えられており、飲料用缶の栓１の最上部の上ネジ山５からタブクリップ４までの長さは、タブ１２が十分に吊り下げられる長さに位置する。タブポケット１３は、図９に示すように、飲料用缶の栓１の上部に備えられ、持ち手３の長手方向を中空状に形成した開口部を設けているタブポケット１３ａ、又は、図１０に示すように、持ち手３の頂部に凹溝切欠部を設けているタブポケット１３ｂの形状である。スコア倒し９は、略Ｌ字形状をしており飲料用缶の栓１の下部に備えられている。先端部１０は、ネジ部２の最下部を示している。スコア１１及びタブ１２は、従来のステインオンタブ式の飲料用缶に備えられているものである。
【００１８】
図１は、本発明の飲料用缶の栓１の正面図である。図２、図３はそれぞれ飲料用缶の栓１の底面図、平面図である。図４は、飲料用缶の栓１が、飲料用缶の飲み口部１４に差し込まれる図である。図５は、飲料用缶の栓１のスコア倒し９がスコアを倒して飲み口部１４を閉栓しようとする図である。図６は、一般的な飲料用缶を横から見た図である。図７は、飲料用缶の栓１で閉栓した状態を示す図６のX−Y矢視図である。図８は、飲料用缶の栓１を広告又は景品目的として使用するために、持ち手３をキャラクターとして使用する実施例である。図９、図１０は、飲料用缶の栓１の上部にタブポケットが備えられている図である。図１１は、図１のＺ部の詳細図であり、これに示すように、本発明の飲料用缶の栓１を装着した場合、飲み口部１４は上ネジ山５によって完全に覆われる。図１に示すように、ネジ部２は持ち手３から先端部１０に向かって略円錐台形状をしている。ネジ部２は、略円形状の上ネジ山５と同形状及び同サイズの下ネジ山６と、上ネジ山５と下ネジ山６の間にある溝７で構成されており、同形状及び同サイズである上ネジ山５及び下ネジ山６とこれらの間に備えられた溝７を一組の段８とする。ステイオンタブ式のプルトップを備えた飲料用缶のタブ１２を引き起こして開栓し、飲み口部１４を開口させる。次に、ステイオンタブ式プルトップを備えた飲料用缶から、タブ１２を脱離し、図４に示すように、本発明である飲料用缶の栓１の略L型形状であるスコア倒し９を、飲料用缶の開口した飲み口部１４に差し込む。このとき、スコア倒し９は、開栓によって飲料用缶の中に入ったスコア１１をさらに押し倒すような方向で飲み口部１４に差し込む。図４，５に示すように、本発明の飲料用缶の栓１のスコア倒し９が角度をつけて飲料用缶の飲み口部１４から差し込んだ状態で、持ち手３を起こす。次に、本発明の飲料用缶の栓１の持ち手３を回転させることで、スコア倒し９が飲料用缶の開栓によって中に入り込み途中まで倒れていたスコア１１を、飲料用缶の蓋の方向に完全に倒すことができる。
【００１９】
図１に示すように、本発明の飲料用缶の栓１のネジ部２は、飲料用缶の栓１の上部にある持ち手３から先端部１０の方向に略円錐台形状をしている。これは、サイズや形状が商品又はメーカーによって異なる飲料用缶のスコア１１のほとんど全てに合うようにするためである。そのため、段８の上ネジ山５と下ネジ山６の外径は、持ち手３から先端部１０の方向に向かって小さくなるように、複数段に構成している。図１、８、１１に示すように、本発明である飲料用缶の栓１を飲料用缶の飲み口部１４に螺合させることにより、飲み口部１４の形状及びサイズに合った大きさのネジ部２の段８に備えている上ネジ山５と下ネジ山６の間の溝７に飲用部の板を咬止し、飲料用缶の飲み口部１４は閉栓される。
【００２０】
図１及び図３〜５に示すように、本発明である飲料用缶の栓１の上部にある持ち手３において、側部に略L字型形状に突出したタブクリップ４を備えている。ステイオンタブ式の飲料用缶から脱離したタブ１２は、タブクリップ４に吊り下げすることで、タブ１２を一時保管することが可能である。
【００２１】
また、図９に示すように、本発明である飲料用缶の栓１は、上部に備えられた持ち手３の長手方向を中空状に形成した開口部を設けたタブポケット１３ａを備えている。ステイオンタブ式飲料用缶から脱離したタブ１２は、挿脱自在であるタブポケット１３に挿入することで、タブ１２を一時保管することが可能である。また、図１０に示すように、本発明である飲料用缶の栓１は、上部に備えられた持ち手３の頂部に凹溝切欠部を設けたタブポケット１３ｂを備えている。ステイオンタブ式飲料用缶から脱離したタブ１２は、挿脱自在であるタブポケット１３に載置することで、タブ１２を一時保管することが可能である。
【００２２】
また、本発明である飲料用缶の栓１のネジ部２は、食品衛生法に適合する材質で、ある程度の硬度を有するもので形成される。
【実施例】
【００２３】
図８に示すように、本発明の飲料用缶の栓１において、持ち手３にマスコットキャラクターを取付けることで、広告や景品として利用することが可能である。本実施例では、略直方体形状であるが、円柱、楕円柱などでも良く、持ち手３の形態は限定するものではない。
【産業上の利用可能性】
【００２４】
飲料用缶は、自動販売機やコンビニエンスストアやスーパーマーケットなどで広く販売されている。また、これらの飲料用缶を販売促進するために、広告又は景品などを付けて販売している場合がある。図８に示すように、本発明は、これらの広告又は景品などに使用することが可能である。
【符号の説明】
【００２５】
１  飲料用缶の栓
２  ネジ部
３  持ち手
４  タブクリップ
５  上ネジ山
６  下ネジ山
７  溝
８  段
９  スコア倒し
１０  先端部
１１  スコア
１２  タブ
１３  タブポケット
１４  飲み口部
【図１】
2017077900.tif 000003
【図２】
2017077900.tif 000004
【図３】
2017077900.tif 000005
【図４】
2017077900.tif 000006
【図５】
2017077900.tif 000007
【図６】
2017077900.tif 000008
【図７】
2017077900.tif 000009
【図８】
2017077900.tif 000010
【図９】
2017077900.tif 000011
【図１０】
2017077900.tif 000012
【図１１】
2017077900.tif 000013